(57)【要約】      （修正有）【課題】構造が簡単で、組付作業が容易で、生産コストを低減できて、且つ按摩効果をもっと向上させて按摩される人体の血行を良くする撓み可能な按摩棒の提供。【解決手段】自在ブッシュ２は、その外周面は、フラット形状でもいいし、曲面形状でもいいし、円弧形状でもよい。且つ磁石２２が設置された穴２１が複数に開設してある。その軸方向の中心には貫通孔２３が開設してあり、ロッド１が貫通孔２３を挿通すると、自在ブッシュ２がロッド１に回転自在に設けられる。ハンドル３は、嵌め穴３１によってロッド１の両端にそれぞれ嵌合され、自在ブッシュ２とハンドル３の間にはパッキン３２を設けてもよく、パッキン３２の中心には貫通孔３２１が開設してある。【選択図】図３
0003122538.tif 000002
【実用新案登録請求の範囲】
【請求項１】
一つのロッドと、多数の自在ブッシュと、二つのハンドルとから構成され、
前記ロッドは撓み可能なものであり、
前記ロッドには多数の前記自在ブッシュが嵌め設けてあり、
前記二つのハンドルは嵌め穴によって前記ロッドの両端にそれぞれ嵌合することを特徴とする、
撓み可能な按摩棒の構造。
【請求項２】
前記自在ブッシュの外周面はフラット形状を呈することを特徴とする、請求項１に記載の撓み可能な按摩棒の構造。
【請求項３】
前記自在ブッシュの外周面は曲面形状を呈することを特徴とする、請求項１に記載の撓み可能な按摩棒の構造。
【請求項４】
前記自在ブッシュの外周面は円弧形状を呈することを特徴とする、請求項１に記載の撓み可能な按摩棒の構造。
【請求項５】
磁石を組付けるために、前記自在ブッシュの外周面には穴が少なくとも一つ開設してあり、前記穴の形状や大きさは任意であることを特徴とする、請求項１に記載の撓み可能な按摩棒の構造。
【考案の詳細な説明】
【技術分野】
【０００１】
本考案は、撓み可能な按摩棒の構造に係り、特に、構造が簡単になり、生産コストが低減になり、製品の競争力が向上になり、按摩効果があり、且つ筋肉に傷つかない撓み可能な按摩棒の構造に関するものである。
【背景技術】
【０００２】
目下、社会の仕事形態の変化に従って、従業員は、体力の働きから頭の働きに転換するので、長期間に椅子を座って仕事をすることは一般である。
だが、これは病気の原因になる可能性は高い。
だから、医者は出来る限りに運動をすることを国民に呼び掛けている。
そうすると、ストレスを緩和する効果があり、且つ病気になる可能性も大幅に低減する。しかし、国民は仕事が忙しいので、運動をする時間は殆どない。
【０００３】
だから、各種類の按摩器具が販売しており、これらの按摩器具により、ストレスが緩和され、気分をリラックスする効果もある。
これらの按摩器具のうちに「撓み可能な按摩棒」がある。これは、図１と図２に示すように、撓み可能なロッド９１を有する。前記ロッド９１の両端にはハンドル９２が嵌めて固定してあり、且つロッド９１には、二つの半球形状の組合ブロック９３から構成されたローラ９４が複数に嵌めてある。
上記組合ブロック９３の組合方法は結合ピン９３１と組合穴９３２の嵌合であり、且つ前記ローラ９４の周面には円弧窪み形状を持つ規制溝９４１が設けてあり、前記規制溝９４１には人体を按摩するためのボール９５が収容してある。
【考案の開示】
【考案が解決しようとする課題】
【０００４】
しかしながら、従来のものには次のような欠点があった。
（イ）上記構造は、ロッドと、組合ブロック９３を組み合って構成されたローラと、ボールとから構成されるので、構成は複雑であり、金型を製造する必要があり、且つ組付作業も複雑である。だから、生産コストは高くなる。
【０００５】
（ロ）上記構造は、規制溝に収容されるボールにより人体を按摩するので、ボールと人体は点的な接触であり、面的な接触ではないので、按摩効果は不十分である。
【課題を解決するための手段】
【０００６】
上記欠点を解決するためになされた本願の第１考案は、一つのロッドと、多数の自在ブッシュと、二つのハンドルとから構成され、前記ロッドは撓み可能なものであり、前記ロッドには多数の前記自在ブッシュが嵌め設けてあり、前記二つのハンドルは嵌め穴によって前記ロッドの両端にそれぞれ嵌合することを特徴とする撓み可能な按摩棒の構造であることを要旨としている。
【０００７】
本願の第２考案では、前記自在ブッシュの外周面はフラット形状を呈することを特徴とする、前記第１考案に記載の撓み可能な按摩棒の構造であることを要旨としている。
【０００８】
本願の第３考案では、前記自在ブッシュの外周面は曲面形状を呈することを特徴とする、前記第１考案に記載の撓み可能な按摩棒の構造であることを要旨としている。
【０００９】
本願の第４考案では、前記自在ブッシュの外周面は円弧形状を呈することを特徴とする、前記第１考案に記載の撓み可能な按摩棒の構造であることを要旨としている。
【００１０】
本願の第５考案では、磁石を組付けるために、前記自在ブッシュの外周面には穴が少なくとも一つ開設してあり、前記穴の形状や大きさは任意であることを特徴とする、前記第１考案に記載の撓み可能な按摩棒の構造であることを要旨としている。
【考案の効果】
【００１１】
本考案に係る撓み可能な按摩棒の構造によれば、次のような効果がある。
（イ）本考案は、一つのロッドと、複数の自在ブッシュと、二つのハンドルとから構成されるので、構造は簡単になり、組付作業は容易になり、だから、生産コストは低減になる。
【００１２】
（ロ）本考案に係る自在ブッシュの周面は、フラット形状でもいいし、曲面形状でもいいし、円弧形状でもいいので、按摩の過程中には人体と面的な接触になり、だから、按摩効果はもっと向上になる。
【００１３】
（ハ）本考案に係る自在ブッシュの周面には磁石が設置された穴が複数に開設してあり、按摩の過程中には、磁石の回転による磁界変化により、人体の血行は良くなる。
【考案を実施するための最良の形態】
【００１４】
以下、添付図面を参照して本考案の好適な実施の形態を詳細に説明する。
【００１５】
まず、図３乃至図４を参照する。本考案に係る撓み可能な按摩棒の構造は、主に、一つのロッド１と、多数の自在ブッシュ２と、二つのハンドル３とから構成されたものである。
【００１６】
前記ロッド１は、ユーザーが力を加えると撓み可能である。
【００１７】
前記自在ブッシュ２は、その外周面は、フラット形状でもいいし、曲面形状でもいいし、円弧形状でもよい。且つ磁石２２が設置された穴２１が複数に開設してある。その軸方向の中心には貫通孔２３が開設してあり、前記ロッド１が貫通孔２３を挿通すると、自在ブッシュ２が前記ロッド１に回転自在に設けられる。
【００１８】
前記ハンドル３は、嵌め穴３１によって前記ロッド１の両端にそれぞれ嵌合され、前記自在ブッシュ２と前記ハンドル３の間にはパッキン３２を設けてもよく、前記パッキン３２の中心には貫通孔３２１が開設してある。
【００１９】
また、図３と図４を参照する。本考案の組合方法は、まず、自在ブッシュ２に開設された穴２１に磁石２２を粘着し、又は嵌合して、多数の自在ブッシュ２をロッド１に嵌め設けて、パッキン３２をロッド１の両端から嵌め設けて、ハンドル３をロッド１の両端に嵌めて固定する。
【００２０】
そうすると、図５乃至図８に示すように、ユーザーの両手がそれぞれロッド１の両端にあるハンドル３を握って力を入れたと、撓んだロッド１に設けた自在ブッシュ２が人体を圧迫し筋肉を按摩し、且つユーザーが撓んだロッド１を往復動すれば、人体を圧迫する自在ブッシュ２が回転になって、自在ブッシュ２の周面に設けられた磁石２２により磁界変化が発生する。これにより、ユーザーの血液循環は良くなる。
【図面の簡単な説明】
【００２１】
【図１】従来のものの組合状態の斜視図および組合ブロックの拡大図である。
【図２Ａ】従来のものの組合状態の断面図である。
【図２Ｂ】図２ＡにおけるＡ-Ａ線の矢視断面図である。
【図３】本考案の分解斜視図である。
【図４】本考案の組合状態を示す断面図である。
【図５】本考案の使用状態を示す概略図である。
【図６】本考案の他の使用状態を示す概略図である。
【図７】本考案の別の使用状態を示す概略図である。
【図８】本考案の更に別の使用状態を示す概略図である。
【符号の説明】
【００２２】
１        ロッド                  ２        自在ブッシュ
２１      穴                      ２２      磁石
２３      貫通孔                  ３        ハンドル
３１      嵌め穴                  ３２      ワッシャ
３２１    貫通孔
９１      ロッド                  ９２      ハンドル
９３      組合ブロック            ９３１    結合ピン
９３２    組合穴                  ９４      ローラ
９４１    規制溝                  ９５      ボール
【図１】
0003122538.tif 000003
【図２Ａ】
0003122538.tif 000004
【図２Ｂ】
0003122538.tif 000005
【図３】
0003122538.tif 000006
【図４】
0003122538.tif 000007
【図５】
0003122538.tif 000008
【図６】
0003122538.tif 000009
【図７】
0003122538.tif 000010
【図８】
0003122538.tif 000011